(57)【特許請求の範囲】
【請求項１】
天板と、これを支える複数の脚とにより構成されて、プール内に敷いたとき、前記プール内に水深の浅い部分を形成することができるようにしたプールフロアにおいて、
前記天板の一部のみを、透明または半透明部分とすることにより、前記天板の下側周辺の視認を行えるようにし、
桟の上に前記天板の透明または半透明部分を支承させたことを特徴とするプールフロア。
【請求項２】
天板と、これを支える複数の脚とにより構成されて、プール内に敷いたとき、前記プール内に水深の浅い部分を形成することができるようにしたプールフロアにおいて、
前記天板の一部のみを、透明または半透明部分とすることにより、前記天板の下側周辺の視認を行えるようにし、
前記脚が、前記天板の透明または半透明部分の下側に位置することを特徴とするプールフロア。
【請求項３】
天板と、これを支える複数の脚とにより構成されて、プール内に敷いたとき、前記プール内に水深の浅い部分を形成することができるようにしたプールフロアにおいて、
前記天板の一部を、透明または半透明部分とすることにより、前記天板の下側周辺の視認を行えるようにし、
枠体が前記天板をコ字形状となって覆い、前記天板の表面が前記枠体の表面より内側に位置することを特徴とするプールフロア。
【請求項４】
天板と、これを支える複数の脚とにより構成されて、プール内に敷いたとき、前記プール内に水深の浅い部分を形成することができるようにしたプールフロアにおいて、
前記天板の一部を、透明または半透明部分とすることにより、前記天板の下側周辺の視認を行えるようにし、
前記天板の中央側は前記透明または半透明部分で、前記天板の両側は着色部分であることを特徴とするプールフロア。
【発明の詳細な説明】
【技術分野】
【０００１】
本発明は、プール内に敷いたとき、前記プール内に水深の浅い部分を形成することができるようにしたプールフロアに関するものである。
【背景技術】
【０００２】
この種のプール内に水深の浅い部分を形成することができるプールフロアは、出願人も特許文献１や特許文献２において種々提案してきている。これらのプールフロアは、特許文献２におけるような「潜り防止板」を設けることを除けば、天板と、これを支える複数の脚とにより構成されて、プール内に敷いたとき、このプール内に水深の浅い部分を形成することができるようにしたことを基本構造とするものである。
【先行技術文献】
【特許文献】
【０００３】
【特許文献１】実公平０１−３７０５９号
【特許文献２】特開２００６−３０７５５５号公報
【発明の概要】
【発明が解決しようとする課題】
【０００４】
これらの出願人が既に提案している各種プールフロアは、水深が幼児や児童の背丈を超える大人用のプールについて、これをプール内に敷いただけでその水深の浅い部分を形成できるため、幼児や児童のための、「子供も使用できるプール」に簡単に変更できる便利なものとなっている。
【０００５】
ところで、この種のプールフロアは、大人用のプール全体に敷いて使用されることは稀で、大人用のプールの一部を「子供も使用できるプール」とするために使用されるものである。つまり、このプールフロアを使用することによって、１つのプールを、大人でも子供でも楽しめるものとすることが一般的である。
【０００６】
１つのプールについて以上のような使用をすると、プールフロア上で水遊びに夢中になっていた子供のゴーグルやスイミングキャップが外れて、これがプールフロアの下側に入り込んでしまうことが起こり得る。また、子供の中には、プールフロアの周辺に入り込んでしまって見えなくなることもあり得る。
【０００７】
一般に、プールフロアの天板は、そこがプールフロアを敷いた場所である、あるいはプールの浅い場所と深い場所の境界であることを、明確に解るようにするために全て着色されたものであるが、そうなると、プールフロアの下側に入り込んでしまったゴーグルやスイミングキャップは上からは全く見えないし、プールフロアの周辺に入り込んでいる子供はプール監視員からは見えづらいことになる。
【０００８】
そこで、本発明者は、プールフロアの下側に入り込んでしまったゴーグルやスイミングキャップ、あるいはプールフロアの周辺に入り込んでいる子供が、プール監視員から容易に見えるようにするにはどうしたらよいか、について種々検討を重ねてきた結果、本発明を完成したのである。
【０００９】
すなわち、本発明の目的とするところは、プールフロアの下側に入り込んでしまったゴーグルやスイミングキャップ、あるいはプールフロアの周辺に入り込んでしまった子供を、容易に見えるようにすることのできるプールフロアを提供することにある。
【課題を解決するための手段】
【００１０】
以上の課題を解決するために、本発明の採った手段は、後述する最良形態の説明中で使用する符号を付して説明すると、
「天板１１と、これを支える複数の脚２０とにより構成されて、プール内に敷いたとき、前記プール内に水深の浅い部分を形成することができるようにしたプールフロア１０において、
天板１１の一部のみを、透明または半透明部分１２とすることにより、天板１１の下側周辺の視認を行えるようにし、
桟１４の上に前記天板１１の透明または半透明部分を支承させたことを特徴とするプールフロア１０
」
である。
【００１１】
すなわち、本発明に係るプールフロア１０は、天板１１と、これを支える複数の脚２０とにより構成されて、プール内に敷いたとき、このプール内に水深の浅い部分を形成することができるようにしたことを基本構造とするものであるが、図１及び図２に示すように、天板１１の一部を、透明または半透明部分１２としたものである。
【００１２】
透明または半透明部分１２を、天板１１の一部に設けるのは、次の理由による。もし、天板１１の全部を透明または半透明部分１２としたとすると、プールの底面と当該プールフロア１０の境界が不明になって、夢中で水遊びをしていた子供が深みに落ちることになり兼ねないからである。そういう意味で、着色部分は、天板１１の一部に設けなければならないのである。
【００１３】
そして、天板１１の一部に設けた透明または半透明部分１２は、図１及び図２に例示するように、天板１１の全面積の、１／５〜４／５程度である。図１に示すプールフロア１０では、天板１１を構成している簀子１１ａが５枚の同一部材である場合に、中側の３枚の簀子１１ａを、透明または半透明部分１２としたものであり、図２に示すプールフロア１０では、各簀子１１ａの中側の部分を透明または半透明部分１２としたものである。
【００１４】
当該プールフロア１０で、その天板１１の一部が、透明または半透明部分１２となっていることにより、この透明または半透明部分１２を通して、天板１１の下側周辺の視認が前記プール外や天板１１の上から行えることになる。勿論、この透明または半透明部分１２以外の天板１１、そして、例えば枠体１３や脚２０は、当該プールフロア１０上の子供にもはっきり見えるので、当該プールフロア１０を踏み外すことはない。
【００１５】
換言すれば、当該プールフロア１０を設置したプールでは、外れてしまってプールフロア１０の下側に入り込んでしまったゴーグルやスイミングキャップを、当該透明または半透明部分１２を通して、プール外や天板１１上からでも容易に発見できることになる。発見されたゴーグル等は、当該プールフロア１０及び隣接するプールフロア１０を動かせば、大人が安全に取り出すことができる。また、透明または半透明部分１２を通して、当該プールフロア１０周辺に潜り込んでいる子供をプール監視員が容易に発見でき、直ちに注意することができるのである。
【００１６】
従って、本発明に係るプールフロア１０によれば、プールフロア１０の下側に入り込んでしまったゴーグルやスイミングキャップ、あるいはプールフロア１０の周辺に入り込んでいる子供を、透明または半透明部分１２を通して容易に発見できるものとなっているのである。
【発明の効果】
【００１７】
以上、説明した通り、本発明においては、
「天板１１と、これを支える複数の脚２０とにより構成されて、プール内に敷いたとき、前記プール内に水深の浅い部分を形成することができるようにしたプールフロア１０において、
天板１１の一部のみを、透明または半透明部分１２とすることにより、天板１１の下側周辺の視認を行えるようにし、
桟１４の上に前記天板１１の透明または半透明部分を支承させたこと」
にその構成上の特徴があり、これにより、プールフロア１０の下側に入り込んでしまったゴーグルやスイミングキャップ、あるいはプールフロア１０の周辺に入り込んでいる子供を、透明または半透明部分１２を通して容易に発見できるプールフロア１０を提供することができるのである。
【図面の簡単な説明】
【００１８】
【図１】本発明に係るプールフロア１０の斜視図である。
【図２】同プールフロア１０の他の実施例を示すもので、中側に透明または半透明部分１２を設けた場合の斜視図である。
【図３】図１に示したプールフロア１０における天板１１を示すもので、（ａ）は平面図、（ｂ）は底面図である。
【図４】天板１１を構成している簀子１１ａと枠体１３との関係を拡大して示すもので、（ａ）は簀子１１ａの端面側から見た天板１１の部分拡大図、（ｂ）は枠体１３の側面側から見た天板１１の部分拡大図、（ｃ）は簀子１１ａの側面側から見た天板１１の部分拡大図である。
【図５】潜り防止板３０と複数の脚２０とを備えたプールフロア１０を示すもので、（ａ）は正面図、（ｂ）は底面図、（ｃ）は底面図である。
【図６】一個の脚２０を拡大して示すもので、（ａ）は平面図、（ｂ）は側面図、（ｃ）は底面図である。
【図７】一個の脚２０を拡大して示すもので、（ａ）は正面図、（ｂ）は取付部２２の部分拡大図である。
【発明を実施するための形態】
【００１９】
次に、上記のように構成した本発明を、図面に示した実施の形態であるプールフロア１０について説明すると、この実施形態のプールフロア１０は、複数のパーツを合成樹脂を材料として成形しておき、これら各パーツを組み合わせて、例えば図１や図２に示したものとして構成したものである。また、本実施形態のプールフロア１０は、例えば図１〜図３に示したような天板１１と、図６〜図７に示したような複数の脚２０と、図５中に示すような潜り防止板３０とから主としてなるのであり、潜り防止板３０については、図１及び図２では省略してある。
【００２０】
本実施形態のプールフロア１０における天板１１は、図３及び図４に示したように、長尺な複数の簀子１１ａ（図３では５枚使用している）を、枠体１３と桟１４とに対して固定して形成したものであるが、２色成形の押出し成形や射出成形によって、透明または半透明部分１２が部分的に存在している一枚板を採用して構成してもよいものである。なお、図３及び図４に示した天板１１は、図１に示したプールフロア１０のものであり、中央３枚の簀子１１ａを透明または半透明材料を用いて押出し成形によって形成し、両側の各１枚の簀子１１ａを着色するかまたは着色材料で押出し成形することにより、各簀子１１ａを組み合わせてその一部が透明または半透明部分１２となるようにしたものである。なお、簀子１１ａの着色材料と透明または半透明材料は、比重が水より大きくて水の中でも浮かない塩化ビニル樹脂、ポリカーボネート樹脂等を用いるのが好ましく、着色材料と透明または半透明材料のベースになる材料を同じ合成樹脂にすることで、同一金型を用いることや材料管理が容易にできて、リサイクルもし易いものである。
【００２１】
本発明においては、天板１１の一部を、透明または半透明部分１２とすることにより、天板１１の下側周辺の視認を前記プール外や天板１１上から行えるようにするものであるが、天板１１の一部とは、図１及び図２に例示したように、天板１１の全面積の、１／５〜４／５程度であり、この場合、天板１１の全面積には、例えば図２に示したような、枠体１３の上面も含まれる。
【００２２】
図１に示したプールフロア１０では、上述したように、天板１１を構成している簀子１１ａが５枚の略同一形状である場合に、中側の３枚の簀子１１ａを、透明または半透明部分１２としたものであり、図２に示したプールフロア１０では、各簀子１１ａの中側部分を透明または半透明部分１２としたものである。勿論、これら図１及び図２に示したような例に限られるものではなく、一部が、透明または半透明部分１２となっている天板１１であれば、どのようなものであってもよい。
【００２３】
なお、本実施形態のプールフロア１０では、その天板１１を構成する簀子１１ａを確実に支えるために、図３の（ｂ）にも示したように、桟１４の上に上記簀子１１ａあるいは透明または半透明部分１２を支承させるようにしている。また、各桟１４は、後述する脚２０を連結する部分ともされる。
【００２４】
図４の（ａ）や（ｂ）に示したように、天板１１の両側に位置する簀子１１ａについては、下向き「コ」の字状に形成された左右の垂下側壁のプールフロア内側に位置する垂下側壁より外側に位置する垂下側壁の長さが長く形成されており、桟１４の端面を覆って鋭利な部分をなくしている。
【００２５】
以上のように構成した天板１１は、複数の脚２０によって支えられるものであるが、本実施形態における脚２０としては、図５〜図７に示したようなものを採用した。この脚２０は、図５の（ａ）に示したような「Ｖ字状」のものとしたものであり、図５の（ｂ）及び（ｃ）に示したように、その各上端にて、本実施形態の天板１１を構成している桟１４に対して連結されるものである。
【００２６】
各脚２０は、図６〜図７に示したように、その本体２１を、合成樹脂を材料として一体成形しておき、この「Ｖ字」の本体２１の下端部分に、図６の（ｃ）、及び図７の（ａ）に示したようなゴム部品２３を連結して一体化することにより構成されるものである。本実施形態の脚２０では、図６の（ａ）及び（ｃ）に示したように、本体２１の一部に潜り防止板取付部２４を一体成形しておき、この潜り防止板取付部２４に、図５に示したように、潜り防止板３０を取り付けるようにしている。
【００２７】
以上の各脚２０の上端部には、図６の（ａ）〜（ｃ）に示したような取付部２２が形成してあり、これら各取付部２２を桟１４に差し込むことによって、当該脚２０の天板１１下に対する取付が簡単にできるようにしてある。勿論、各脚２０は、各取付部２２にての取付状態を解除することによって、天板１１からの取り外しも簡単に行えるようにしてあり、かつ、図６の（ｂ）にも示したような「Ｖ字状」のものであるから、外した各脚２０を順次上側に積み重ねることができ、当該プールフロア１０の不使用時における片付けを限られた空間で行えるようにしてある。
【００２８】
また、以上の各脚２０は、図５の（ｂ）に示したように、天板１１の裏面に例えば合計６個連結されるものであり、脚２０によって天板１１の高さが調整される。図５の（ａ）から潜り防止板３０を外した状態を考えてみると、各脚２０間には子供たちが天板１１の下側に潜り込めるような空間が形成される。そこで、図５の（ａ）及び（ｃ）に示したように、各脚２０間に潜り防止板３０を取り付けておけば、子供たちが天板１１下に潜り込むことはできなくなるのである。
【００２９】
さらに、各脚２０やその取付部は、透明または半透明部分１２の下側に来るようにすると、この脚２０の状態、例えば外れていることのチェックや、この脚２０が折り畳みである場合の完全な組み状態であるか否かのチェックが天板１１上からできることになり、潜って確認する必要がないので、簡単である。
【００３０】
そして、本実施形態では、枠体１３が各簀子１１ａを「コ」字形状となって覆っているので、簀子１１ａの表面が枠体１３の表面より内側になる。このため、当該プールフロア１０をプールから出して積み重ねたとき、簀子１１ａ同士が擦り合ったり、簀子１１ａの他のプールフロア１０との当接がないから、透明または半透明部分１２に擦り傷がついてその透明性または半透明性を損なうことが少なくなる。
【００３１】
勿論、本発明を実施するにあたっては、上述してきたような形態の脚２０を採用する必要はなく、これらの脚２０としては、単なる柱を用いたり、折り畳みできるボックス型のものを採用して実施してもよいものである。そして、各脚２０自体等によって天板１１下に潜り込める空間が形成されないのであれば、潜り防止板３０を設ける必要もない。
【符号の説明】
【００３２】
１０    プールフロア
１１    天板
１１ａ  簀子
１２    透明または半透明部分
１３    枠体
１４    桟
２０    脚
２１    本体
２２    取付部
２３    ゴム部品
２４    潜り防止板取付部
３０    潜り防止板
【図１】
0006431709.tif 000002
【図２】
0006431709.tif 000003
【図３】
0006431709.tif 000004
【図４】
0006431709.tif 000005
【図５】
0006431709.tif 000006
【図６】
0006431709.tif 000007
【図７】
0006431709.tif 000008